(57)【要約】【課題】通常演奏と消音演奏を選択的に切り替えることができる鍵盤楽器の消音装置および鍵盤楽器を提供する。【解決手段】鍵盤４の押鍵操作に連動して動作するハンマーアッセンブリ１３によって弦３を打撃する鍵盤楽器に消音装置６０を設ける。この消音装置６０は、前記弦３と前記ハンマーアッセンブリ１３の間に配設され、通常演奏時にはハンマー３８による打弦を阻止せず、消音演奏時にハンマー３８が打弦する直前にハンマーアッセンブリ１３の回動を阻止する打弦阻止手段６１と、この打弦阻止手段６１を弦３の配列方向に移動させることで通常演奏状態から消音演奏状態もしくはこの逆の状態に切り替える切替手段６２とを備えている。【選択図】  図２
2005134926.tif 000002
【特許請求の範囲】
【請求項１】
鍵盤の押鍵操作に連動して動作するハンマーアッセンブリによって弦を打撃する鍵盤楽器に設けられる消音装置であって、
前記弦と前記ハンマーアッセンブリの間に配設され、通常演奏時にはハンマーによる打弦を阻止せず、消音演奏時に前記ハンマーが打弦する直前に前記ハンマーアッセンブリの回動を阻止する打弦阻止手段であって、全てのアクション機構に対応して弦の並設方向に横断延設されたストッパ部材と、該ストッパ部材において前記ハンマーアッセンブリの打弦時に回動する部材との衝突面に設けられたクッション部材とを有するものと、前記ストッパ部材を弦の配列方向に移動させることで通常演奏状態から消音演奏状態もしくはこの逆の状態に切り替える切替手段と、
を備えていることを特徴とする鍵盤楽器の消音装置。
【請求項２】
請求項１記載の鍵盤楽器の消音装置において、
前記打弦阻止手段は、シャフトと該シャフトを保持する軸受部材と該軸受部材を鍵盤楽器に固定するための固定手段とを備え、
前記切替手段は、前記鍵盤楽器に備えられる操作部と連結され、前記打弦阻止手段を移動させるための駆動力を伝達するための伝達手段と、
該伝達手段が駆動力を伝達可能とすべく移動可能に保持する保持手段と、
該保持手段を前記鍵盤楽器に固定する固定手段と、
を備えていることを特徴とする鍵盤楽器の消音装置。
【請求項３】
請求項１記載の鍵盤楽器の消音装置において、
ジャックが脱進する時期を通常演奏時と消音演奏状態とで変更する変更手段を有することを特徴とする鍵盤楽器の消音装置。
【請求項４】
請求項３記載の鍵盤楽器の消音装置において、
前記切替手段は、前記打弦阻止手段と変更手段を連動して動作させることを特徴とする鍵盤楽器の消音装置。
【請求項５】
弦と、
鍵と、
該鍵の動作に応じて、前記弦を打撃するハンマーアッセンブリと、
前記弦と前記ハンマーアッセンブリの間に配設され、通常演奏時にはハンマーによる打弦を阻止せず、消音演奏時にハンマーが打弦する直前にハンマーアッセンブリの回動を阻止する打弦阻止手段であって、全てのアクション機構に対応して弦の並設方向に横断延設されたストッパ部材と、該ストッパ部材において前記ハンマーアッセンブリの打弦時に回動する部材との衝突面に設けられたクッション部材とを有するものと、
前記ストッパ部材を弦の配列方向に移動させることで通常演奏状態から消音演奏状態もしくはこの逆の状態に切り替える切替手段と、
を備えていることを特徴とする鍵盤楽器。
【発明の詳細な説明】
【技術分野】
【０００１】
この発明は、鍵盤に連動して動作し弦を打撃するアクション機構を備えた鍵盤楽器およびその消音装置に関し、特にハンマーによって弦を打撃する通常演奏と、打弦直前にハンマーを停止させ弦を打撃しない非打弦演奏（消音演奏）を選択的に切り替えることができるようにしたグランドピアノ等の鍵盤楽器の消音装置および鍵盤楽器に関する。
【背景技術】
【０００２】
鍵盤の押鍵操作に連動して動作するアクション機構によって弦を打撃するグランドピアノ、アップライトピアノ等の鍵盤楽器においては、演奏音量が大きいことから、演奏音量を選択的に小さくする弱音機構を備えている。この弱音機構は、グランドピアノの場合、ペダル操作によってアクション機構全体を鍵盤筬と共に鍵盤の並設方向に移動させ、ハンマーが打撃する弦の本数を減ずることで演奏音の弱音化を図っている。一方、アップライトピアノにおいてはペダル操作によってマフラーフェルトを弦とハンマーとの間に選択的に介在させるかもしくはハンマーアッセンブリを初期位置に係止するハンマーレールを弦側に移動させて弦とハンマーとの距離を短縮することにより、ハンマーの弦に対する打撃力を弱め、演奏音の弱音化を図っている。
【０００３】
また、最近では楽器の多様化に伴い、押鍵操作するのみで打弦音を完全に発生させないようにした鍵盤楽器が提案されている（例えば、特許文献１参照）。この特許文献１に記載された鍵盤楽器は、グランドピアノにおいて打弦音を発生させない消音演奏時にハンマーアッセンブリを予め持ち上げてハンマーローラをジャックから離間させておき、押鍵操作時にジャックがハンマーアッセンブリを突き上げないようにすることにより、ハンマーが弦を打撃せず、打弦音を発生させない演奏（消音演奏）を実現できるようにしたものである。そして、このような鍵盤楽器に、自動演奏ピアノに用いられるキーセンサ、ハンマーセンサ等のセンサを組み込んでおくことにより、消音しない通常演奏時（弱音演奏時も含む）においてはアコースティック（生）ピアノの演奏を楽しむことができ、消音演奏時にはセンサによって楽音制御回路を制御し電子音を発生させる電子ピアノの演奏を楽しむことができる。
【発明の開示】
【発明が解決しようとする課題】
【０００４】
しかしながら、上記した従来の鍵盤楽器は打弦しない消音演奏時に予めハンマーアッセンブリを持ち上げておくので、押鍵操作してもジャックがハンマーアッセンブリを突き上げず、そのため通常演奏時のアフタータッチ感および抵抗感が得られないという欠点があった。
なお、狭義のアフタータッチとは、ジャックがハンマーローラの下部から一時脱進する時の「カクッ」とした感じを云う。広義にはレットオフ（ハンマーが弦の近くまで回動して触れずに回動復帰する運動）も含めた一連の動きを云う。
【０００５】
そこで、このような問題点を解決する方法として、本出願人はハンマーアッセンブリによる打弦を選択的に阻止する阻止手段と、この阻止手段に連動して動作しレギュレチングボタンとジャック小との間に選択的に介装されるスペーサとを設け、消音演奏時にジャック小とレギュレチングボタンとの間にスペーサを介装することにより、ジャックがハンマーアッセンブリから脱進する時期を通常演奏時よりも早め、阻止手段によってハンマーアッセンブリの打弦を阻止することでアフタータッチ感を阻害することなく打弦音を発生させない消音演奏と通常演奏を切り替えることができるようにした鍵盤楽器を既に提案している（例えば、特許文献２参照）。
しかしながら、このような鍵盤楽器においては消音演奏時にどの鍵にも一律に同じ厚さのスペーサをジャック小とレギュレチングボタンとの間に介挿させているので、通常演奏時用に調整されたレギュレチングボタンとジャック小の相対的関係を維持することができないという問題があった。すなわち、消音演奏時においてジャック小がスペーサに突き当たると、このスペーサが圧縮されてその板厚が変化し、また一律に同じ厚さのスペーサであって、ある剛性があるため、左右の鍵の影響を受けて、ジャック小とレギュレチングボタンとの相対的関係も変化する。その結果、消音演奏時のアフタータッチ感を通常演奏時と同様に保つことができなくなる。
【特許文献１】米国特許第２，２５０，０６５号明細書
【特許文献２】特願平４−２１５４００号（特開平０６−０３５４４５号公報）
【０００６】
この発明は上記したような従来の問題点に鑑みてなされたもので、その目的とするところは、安定した打弦動作を得ることができ、また通常演奏と消音演奏の迅速な切替えが可能な鍵盤楽器の消音装置および鍵盤楽器を提供することにある。
【課題を解決するための手段】
【０００７】
上記目的を達成するために第１の発明は、鍵盤の押鍵操作に連動して動作するハンマーアッセンブリによって弦を打撃する鍵盤楽器に設けられる消音装置であって、前記弦と前記ハンマーアッセンブリの間に配設され、通常演奏時にはハンマーによる打弦を阻止せず、消音演奏時に前記ハンマーが打弦する直前に前記ハンマーアッセンブリの回動を阻止する打弦阻止手段であって、全てのアクション機構に対応して弦の並設方向に横断延設されたストッパ部材と、該ストッパ部材において前記ハンマーアッセンブリの打弦時に回動する部材との衝突面に設けられたクッション部材とを有するものと、前記ストッパ部材を弦の配列方向に移動させることで通常演奏状態から消音演奏状態もしくはこの逆の状態に切り替える切替手段とを備えていることを特徴とするものである。
また、第２の発明は、前記打弦阻止手段が、シャフトと該シャフトを保持する軸受部材と該軸受部材を鍵盤楽器に固定するための固定手段とを備え、前記切替手段は、前記鍵盤楽器に備えられる操作部と連結され、前記打弦阻止手段を移動させるための駆動力を伝達するための伝達手段と、該伝達手段が駆動力を伝達可能とすべく移動可能に保持する保持手段と、該保持手段を前記鍵盤楽器に固定する固定手段とを備えていることを特徴とするものである。
また、第３の発明は、消音演奏時にジャックが脱進する時期を通常演奏時と消音演奏状態とで変更する変更手段を有することを特徴とするものである。
また、第４の発明は、前記切替手段が前記打弦阻止手段と変更手段とを連動して動作させることを特徴とするものである。
さらに、第５の発明に係る鍵盤楽器は、弦と、鍵と、該鍵の動作に応じて、前記弦を打撃するハンマーアッセンブリと、前記弦と前記ハンマーアッセンブリの間に配設され、通常演奏時にはハンマーによる打弦を阻止せず、消音演奏時にハンマーが打弦する直前にハンマーアッセンブリの回動を阻止する打弦阻止手段であって、全てのアクション機構に対応して弦の並設方向に横断延設されたストッパ部材と、該ストッパ部材において前記ハンマーアッセンブリの打弦時に回動する部材との衝突面に設けられたクッション部材とを有するものと、前記ストッパ部材を弦の配列方向に移動させることで通常演奏状態から消音演奏状態もしくはこの逆の状態に切り替える切替手段とを備えていることを特徴とするものである。
【発明の効果】
【０００８】
この発明に係る鍵盤楽器の消音装置および鍵盤楽器は、弦とハンマーアッセンブリの間に打弦阻止手段を配設し、この打弦阻止手段のストッパ部材を切替手段によって弦の配列方向に移動させて通常演奏状態と消音演奏状態を切り替え、通常演奏時には打弦阻止手段がハンマーの回動を阻止せず、消音演奏時にハンマーが弦を打撃する直前にハンマーアッセンブリの回動を阻止するように構成したので、通常演奏と消音演奏を楽しむことができる。また、ストッパ部材を弦の配列方向にのみ移動させるだけでよく、ハンマーによる打弦方向に対してはストッパ部材の移動が無いから、ハンマーの回動を阻害したりするおそれがない。
【発明を実施するための最良の形態】
【０００９】
以下、この発明を図面に示す実施の形態に基づいて詳細に説明する。
図１はこの発明に係る鍵盤楽器の消音装置の一実施の形態を示すアクション機構部の通常演奏時の側断面図、図２は打弦阻止手段とその切替手段の斜視図、図３は打弦阻止手段の取付け構造を示す側断面図、図４はレギュレチングアッセンブリを消音演奏状態に切り替えた状態を示す側断面図である。これらの図において、棚板１上には鍵盤筬２が配設されており、その上に各音高の弦３に対応する８８鍵全ての鍵盤４が、その略中央部をバランスキーピン５により上下揺動自在に支持されて配設されている。各音高の弦３は、鍵盤４の上方に配設された不図示のフレームにチューニングピンとフレームピンを介して略水平に張設されている。弦３の下方には全ての弦３に対して共通に延在するサポートレール６が鍵盤４の後端部上方に位置して横断延設されており、このサポートレール６に鍵盤４に連動して動作し対応する弦３を打撃するアクション機構７が配設され、またその後方には通常弦３の自由振動を阻止し、打弦時に弦３を解放するダンパー機構８が配設されている。
【００１０】
前記サポートレール６は、棚板１上に不図示のアクション台を介して鍵盤４の並設方向に並設された複数個、例えば３〜４つのブラケット１０の後端部上面に略水平に設置固定されることにより全てのブラケット１０を連結している。また、これらのブラケット１０は、その前端部上面に同じく全ての鍵盤４に対して共通に延在するよう横断延設されたシャンクレール１１によっても互いに連結されている。そして、このブラケット１０は、左右方向に移動可能とされており、弱音演奏時に棚板１の下方に配設されたシフトペダル（図示せず）の踏み込み操作によって前記鍵盤筬２と一体に鍵盤４の並設方向、例えば高音弦側に所定量移動され、ハンマー１８が打撃する弦３の本数を減ずるよう構成されている。
【００１１】
前記アクション機構７は、鍵盤４の押鍵操作によって回動されるウイペン１２と、弦３を打撃するハンマーアッセンブリ１３と、押鍵操作に伴いウイペン１２と共に上昇し前記ハンマーアッセンブリ１３を突き上げ回動させるジャック１４と、打弦動作後回動復帰してくるハンマーアッセンブリ１３を受け止め初期位置に復帰させるレペティションレバー１５と、打弦動作時に前記ジャック１４をハンマーアッセンブリ１３から一時的に脱進させるレギュレチングアッセンブリ１６等で構成されている。
【００１２】
前記ウイペン１２は、前記サポートレール６に固定されたサポートフレンジ１７の上端に基端部（後端）がピン１８を介して上下方向に回動自在に軸支されており、遊端（前端）側下面に一体的に設けられたウイペンヒール１２Ａが鍵盤４の後端部上面に植設されたキャプスタン１９上に載置されることにより通常略水平に保持されている。そして、ウイペン１２の基端部上面にはハンマーシャンクストップフェルト２０がサポート付木２１を介して配設されている。
【００１３】
前記ジャック１４は、側面視Ｌ字状に屈曲形成されて、その下端屈曲部がウイペン１２の前端にピン２２を介して前後方向に回動自在に軸支されると共に、レペティションスプリング２３によって図１反時計方向の回動習性を付与されている。ジャック１４の上方に向かって延在する一腕１４Ａは、前記レペティションレバー１５の前端部に上下面に貫通して形成された長孔２４に下方から挿入されており、その上面１４ａ（図４）が前記ハンマーアッセンブリ１３を構成するハンマーシャンク２５の基部側下面に配設されたハンマーローラ２６の下面に当接している。ジャック１４のもう一方の腕１４Ｂは前方に向かって略水平に伸び、その前端部が前記レギュレチングアッセンブリ１６の下方に位置してジャック小２７を形成している。そして、ジャック１４は、一腕１４Ａの中間部に取り付けられたレペティションボタン２８がウイペン１２上に植設されたジャックストップ２９に前記レペティションスプリング２３のばね力により通常圧接されることにより反時計方向の回動を制限され初期位置に保持されている。
【００１４】
前記レペティションレバー１５は、ウイペン８の略中央部に突設されたレペティションレバーフレンジ３１の上端にセンターピン３２を介して中央部が上下方向に回動自在に軸支されると共に、前記レペティションスプリング２３により図１反時計方向の回動習性を付与されている。レペティションレバー１５の後端部には通常前記レペティションスプリング２３のばね力によってウイペン１２の基部側上面に圧接されるレペティションボタン３３が配設されており、これによってレペティションレバー１５の反時計方向の回動を制限し、初期位置に係止している。
【００１５】
前記ハンマーアッセンブリ１３は、前記ハンマーシャンク２５と、このハンマーシャンク２５の基端部下面に配設された前記ハンマーローラ２６と、前記ハンマーシャンク２５の遊端に配設されたハンマー３８等で構成されており、前記ハンマーシャンク２５の基端部が前記シャンクレール１１の上面に後述するブラケット７１と共に固定されたシャンクフレンジ３６の後端にピン３７を介して上下方向に回動自在に軸支され、ハンマーローラ２６が通常レペティションレバー１５の前端部上面に載置されることで初期位置に係止されている。鍵盤４の押鍵操作に伴いウイペン１２がキャプスタン１９により突き上げられてピン１８を中心として反時計方向に上昇回動すると、ジャック１４がハンマーローラ２６を下から突き上げてハンマーアッセンブリ１３を時計方向に上昇回動させ、これによってハンマー３８が押鍵操作された鍵盤４に対応する弦３を打撃する。打弦動作途中において、ジャック１４は、ジャック小２７がレギュレチングアッセンブリ１６により上昇運動を阻止されることにより、レペティションスプリング２３に抗して時計方向に回動され、これによってジャック１４の上端がハンマーローラ２６の下部から一時的に脱進する。この時、押鍵操作している指は「カクッ」という感触、すなわちアフタータッチ感を受け、ジャック１４が脱進したことを知ることができる。また、この脱進によってハンマーアッセンブリ１３の負荷がなくなるため、押鍵操作力は軽くなる。ジャック１４の脱進時期は、通常演奏時において、ハンマー３８が弦１に２〜３ｍｍ程度まで接近したときとされる。そして、打弦動作後、弦３の反発力および自重によって回動復帰するハンマーアッセンブリ１３は、ハンマーローラ２６がレペティションレバー１５によって受け止められることにより初期位置へと復帰する。この時、レペティションレバー１５は、ハンマーアッセンブリ１３の落下衝撃によりセンターピン３２を中心としてレペティションスプリング２３に抗して時計方向に回動されることにより、前記落下衝撃を吸収緩和し、ハンマーローラ２６の跳ね返りを防止すると共に同一鍵による早い連打を可能にしている。また、前記ジャック１４は、ハンマー３８による打弦動作後鍵盤４の復帰動作に伴うウイペン１２の回動下降に連動して回動復帰することにより、上端が再びハンマーローラ２６の下部に入り込み、次の打弦動作を可能にする。
【００１６】
前記レギュレチングアッセンブリ１６は、前記シャンクレール１１の内側に８８鍵のアクション機構７を複数個のアクション機構７にグループ化した複数のアクション毎に延在するよう横断延設されたレギュレチングレール４０（図６参照）と、各アクション機構７のジャック１４のジャック小２７に対応して前記レギュレチングレール４０の下面側にレギュレチングスクリュウ４１を介して高さ調整可能に配設された複数個のレギュレチングボタン４２とで構成されている。レギュレチングボタン４２と前記ジャック小２７との距離ｄは、通常演奏時においてハンマー３８が弦１に２〜３ｍｍ程度まで接近した際にジャック１４がハンマーローラ２６の下部から脱進する距離（３〜５ｍｍ）に各アクション機構７毎に設定されており、図４に示す消音演奏時に後述する距離変更手段６３によってレギュレチングアッセンブリ１６がジャック小２７に接近されることにより、ハンマー３８が弦３に８〜１５ｍｍ程度まで接近した際にジャック小２７がハンマーローラ２６の下部から脱進する距離ｄ’に変更される。この距離ｄ’は、１〜３ｍｍ程度とされる。なお、レギュレチングボタン４２を手で回すと、レギュレチングボタン４２がレギュレチングスクリュウ４１に沿って上下して前記距離ｄを微調整することができ、距離ｄを大きくすると、ジャック１４の脱進時期が遅くなり、反対に小さくすると早くなる。
【００１７】
なお、前記鍵盤４の後端部上面には打弦動作後弦３の反発力およびハンマーアッセンブリ１３の自重により回動復帰するハンマー３８を弾性的に受け止めるバックチェック４３がバックチェックワイヤ４４を介して配設されている。
【００１８】
前記ダンパー機構８は、ダンパーレバーレール５０に配設されたダンパーレバーフレンジ５１に後端がピン５２を介して上下方向に回動自在に軸支され、前端が鍵盤４の後端部上方に延在するダンパーレバー５３と、このダンパーレバー５３の前端側に配設されたダンパーブロック５４と、このダンパーブロック５４にダンパーワイヤ５５を介して配設されたダンパー５６等で構成されている。ダンパー５６は通常前記弦３を上方から押圧することにより、弦３の自由な振動を阻止しており、鍵盤４の押鍵操作時にダンパーレバー５３が鍵盤４の後端４ａによって突き上げられて反時計方向に回動されると、上昇して弦３から離間するよう構成されている。そして、このダンパー５６の離間後、前記ハンマー３８が弦３を打撃することで、通常演奏を可能にしている。
なお、上記したアクション機構７およびダンパー機構８は、従来のグランドピアノのアクション機構、ダンパー機構と全く同様である。
【００１９】
さて、この発明においては、上記した通常演奏時のアフタータッチ感を阻害しないで打弦音を発生させない消音演奏を可能にする装置、すなわち消音装置６０を備えている。この消音装置６０は、弦３とハンマーアッセンブリ１３の間に配設され、通常演奏時にはハンマー３８による打弦を阻止せず消音演奏時にハンマー３８が打弦する直前にハンマーアッセンブリ１３の回動を阻止する打弦阻止手段６１と、打弦阻止手段６１を鍵盤４の並設方向に移動させ通常演奏状態から消音演奏状態もしくはこの逆の状態に切り替える切替手段６２と、消音演奏時に前記レギュレチングアッセンブリ１６をジャック小２７側に移動させて前記距離ｄをｄ’に変更する距離変更手段６３とで構成されている。
【００２０】
図２および図３おいて、前記打弦阻止手段６１は、全てのアクション機構７に対応して弦３の並設方向に移動自在に横断延設された板状のハンマーシャンクストッパ６４を備え、このハンマーシャンクストッパ６４の前端部下面には同ストッパ６４の剛性を高めるため補強板６５が固定され、下面後端部には複数個のクッション部材６６がアクション割り、すなわちアクション機構７の配列ピッチ（約１３ｍｍ）と略同一ピッチにて並列配置されている。ハンマーシャンクストッパ６４は、その両端および中間の３箇所、合計５箇所にそれぞれ設けられたステー６７によって保持されている。ステー６７は、金属板の折り曲げ加工等により正面視下向きコ字状に形成されることにより下面および前後面が開放して互いに平行な前後一対のシャフト６８Ａ，６８Ｂを有し、上面に前記ハンマーシャンクストッパ６４が止めねじ６９によって固定されている。前記シャフト６８Ａ，６８Ｂは、軸受部材７０と前記ブラケット７１とによって軸線方向、すなわち鍵盤４の配列方向に移動自在に保持されている。軸受部材７０は、図３に示すように側面視Ω型に形成されて、その湾曲部内に前記シャフト６８Ａ，６８Ｂが円筒状のクロス７２を介して摺動自在に挿通されており、両端部が前記ブラケット７１に止めねじ７３によって固定されている。前記ブラケット７１は、各ステー６７に対応してアクション機構７の上方に配設されるもので、その前端部が止めねじ７４によって前記シャンクレール１１の上面にシャンクフレンジ３６と共に固定され、また前端に設けられた折曲部７１ａが同じくシャンクレール１１の前面に止めねじ７５によって固定される一方、後端部がブラケット受け部材７６上に止めねじ７７によって固定されている。ブラケット受け部材７６は、ビス７８によって前記サポートレール６上に高さ調整可能に配設されている。また、前記ブラケット７１の後端部は、Ｌ字状に折曲されて前記ステー６７の取付部を形成しており、その垂直部７１ｂと水平部７１ｃに前記各シャフト６８Ａ，６８Ｂを保持する前記軸受部材７０がそれぞれ固定されている。
【００２１】
図１において、前記ブラケット７１の上方には消音演奏時に用いられる複数個のハンマーセンサ８０が各アクション機構７のハンマーシャンク２５に対応して配設されている。このハンマーセンサ８０は、発光素子と受光素子（図示せず）とを備え、打弦動作時にハンマーシャンク２５上に配設されたシャッタ８１が発光素子から出射し受光素子によって受光される光を遮ることによりアクション機構７、言い換えれば鍵盤４の動きを検出し、その出力信号によって電子音源から電子音を発音させるように構成されている。なお、このようなハンマーセンサ８０は従来周知であるため、これ以上の説明を省略する。
【００２２】
再び図２において、前記切替手段６２は、通常演奏状態から消音演奏状態もしくはこの逆の状態に切り替える際、前記打弦阻止手段６１をアクション割りの半ピッチだけ左または右方向に移動させるもので、回動レバー９１を備えている。この回動レバー９１は、前記シャンクレール１１に配設された軸受部材９２によって中間部が回転自在に軸支された軸９３と、この軸９３の後端に一体的に設けられ、複数個のステー６７の一つ、例えばハンマーシャンクストッパ６４の中央部を保持しているステー６７に下方から挿入係合される板状の操作部９４とで構成されている。前記軸９３の前端にはボール９６を回動自在に保持するレバー９５の一端が止めねじ９７によって固定されている。ボール９６は、ワイヤ９８の一端に固定されている。ワイヤ９８のボール側端部は、前記シャンクレール１１に上端が固定されたブラケット９９の下端に着脱可能に配設されたワイヤケース１００によって摺動自在に保持され、他端側が前記アクション機構７等を収納する不図示の楽器本体内から棚板１の下面に沿って外部に導出され、摘み１０１に連結されている。摘み１０１は棚板１の前端部下面適宜箇所に固定されたホルダ１０２によって前後移動自在に保持されており、通常演奏時において図２に示す引っ込んだ位置に設定保持されている。この時、回動レバー９１の操作部９４は略垂直に設定保持されている。この状態において、ハンマーシャンクストッパ６４は、通常演奏位置に設定保持されており、クッション部材６６をハンマーシャンク２５間に位置させている。レバー１０１を手で手前側に所定量引くと、回動レバー９１が図２反時計方向に所要角度回動され、これによって操作部９４がステー６７を左方にアクション割りの半ピッチだけ移動させ、各クッション部材６６をハンマーシャンク２５に対応一致させる。
【００２３】
図１および図４において、前記距離変更手段６３は、全てのアクション機構７に対応して弦３の並設方向に横断延設された回動軸１１０を備えている。この回動軸１１０は、シャンクレール１１の前面に第１ブラケット１１１を介して配設された第２ブラケット１１２の前端部上面に軸受部材１１３によって回動自在に保持されて配設されている。
【００２４】
前記第１ブラケット１１１は、金属板の折り曲げ加工によって図５に示す如き形状に形成されることにより、垂直な前面板部１１１ａ、前下がりに傾斜し後方斜め上方に延在する上板部１１１ｂ、後方に延在する水平な底板部１１１ｃおよび左右一対の側板部１１１ｄ，１１１ｅを一体に有し、上板部１１１ｂと底板部１１ｃに設けられたねじ孔１１４，１１５にねじ込まれるビス１１６，１１７によって前記シャンクレール１１の前端部上面および下端面に固定され、両側板部１１１ｄ，１１１ｅがシャンクレール１１の前面に当接されている。ビス１１６，１１７の先端部はそれぞれ円錐形で、前記シャンクレール１１の前端部上面および下端面に形成された小さな円錐形凹部１１８，１１９にそれぞれ係入されることにより、第１ブラケット１１１の位置ズレを防止している。そして、このような第１ブラケット１１１は、図６に示すように回動軸１１０の両端部と、隣接する各セクションＩ〜ＩＶ間に対して１ずつ、さらに各セクションＩ〜ＩＶに対して２または３つ、合計１６配設されている。
【００２５】
前記第２ブラケット１１２は、金属板の折り曲げ加工によって図７に示す如く側面視Ｌ字型に形成されることにより、垂直板部１１２ａおよび垂直板部１１２ａの前端に連結された前方に延在する水平板部１１２ｂとを一体に有し、垂直板部１１２ａに形成された長溝１２１に止めねじ（図示せず）が挿通され前記第１ブラケット１１１の前面板部１１１ａに設けられたねじ孔１２２にねじ込まれることにより、前記回動軸１１０の各端部と隣接する各セクションＩ〜ＩＶ間にそれぞれ位置して配設されている前記第１ブラケット１１１の前面に固定されている。なお、各アクションのセクション割りは、ピアノフレームの位置に応じて決定される。
【００２６】
図４において、前記軸受部材１１３は前記各第２ブラケット１１２にそれぞれ配設されるもので、側面視Ω型に形成されてその両端固定部が前記第２ブラケット１１２の前面板部１１２ｂに形成されたねじ孔１２４にねじ込まれる一対の止めねじ１２５によって第２ブラケット１１２の前端部上面に固定され、前記回動軸１１０を回動自在に保持している。軸受部材１１３の湾曲部と回動軸１１０との間には円筒状のブッシングクロス１２６が介在されており、これにより回動時の摺動雑音の発生を防止している。
【００２７】
前記回動軸１１０には前記レギュレチングアッセンブリ１６を保持する複数個の保持部材１３０が配設されている。保持部材１３０は、金属板の折り曲げ加工によって図８に示す如き形状に形成されることにより、前後方向に延在する水平基部１３０ａ、水平基部１３０ａの前端に上方に向かって折曲された垂直部１３ｂ、垂直部１３０ｂの上端に前方に向かって折曲された水平部１３０ｃ、水平基部１３０ａの後端に上方に向かって連接されたレール取付部１３０ｄとを一体に有し、水平基部１３０ａが前記回動軸１１０に不図示の止めねじによって固定されている。このため、水平基部１３０ａにはねじ取付孔１３２が形成されている。また、水平基部１３０ａの後端部下面にはワイヤ１３３の一端が連結されるワイヤ取付部１３４が螺合等により固着され一体的に垂設されている。ワイヤ１３３は、レギュレチングアッセンブリ１６を通常演奏状態と消音演奏状態に切り換える操作手段を構成するもので、上記した打弦阻止手段６１のワイヤ９８と同様、棚板１の下面前端部に導出され摘み１０１に接続されており、これによって打弦阻止手段６１と距離変更手段６３は連動する。取付部材１３０のレール取付部１３０ｄは、上端部が前記シャンクレール１１の内側に下方より挿入されてその前面部裏面と近接対向しており、この上端部裏面側に前記レギュレチングレール４０が不図示の止めねじによって固定されている。また、取付部材１３０の水平部１３０ｃの上面中央にはピン１３５が突設されており、このピン１３５には取付部材１３０を図４時計方向に付勢するばね１３６の下端が嵌装されている。そして、このような取付部材１３０は、前記各セクションＩ〜ＩＶにそれぞれ配設された前記各第１ブラケット１１１と対応一致するよう回動軸１１０にそれぞれ固定配置されている。
【００２８】
前記各セクションＩ〜ＩＶにそれぞれ配設された前記各第１ブラケット１１１には、第３ブラケット１４０が前記取付部材１３０に対応して配設されている。この第３ブラケット１４０は、金属板の折り曲げ加工によって図９に示す如く側面視逆Ｌ字型に形成されることにより、垂直板部１４０ａおよび垂直板部１４０ａの上端に連結された前方に延在する水平板部１４０ｂとを一体に有し、垂直板部１４０ａに形成された長溝１４１に止めねじ（図示せず）が挿通され各セクションＩ〜ＩＶに設けられた前記第１ブラケット１１１の前面板部１１１ａにそれぞれ固定されており、水平板部１４０ｂの前端部下面には前記ばね１３６の上端が圧接されている。なお、回動軸１１０に対する第１〜第３ブラケット、保持部材１３０の取り付け位置は図６に示している通りである。
【００２９】
前記レギュレチングレール４０の上面にはクロス１４２が固着されており、このクロス１４２は通常演奏状態において図１に示すようにシャンクレール１１の下面に前記ばね１３６のばね力によって圧接されている。また、レギュレチングレール４０は、全てのアクション機構７に対応して弦３の並設方向に横断延設されておらず、各セクション毎に分断されている。
【００３０】
前記取付部材１３０の水平基部１３０ａの後端部下方には取付部材１３０の反時計方向の回動を制限するストッパ１４４が配設されている。このストッパ１４４は、全てのアクション機構７に対応して弦３の並設方向に横断延設されたレール１４５上に各取付部材１３０に対応してそれぞれ植設された止めねじで構成されている。
【００３１】
次に、上記構成からなる消音装置６０の動作について説明する。
通常演奏時においては、摘み１０１が棚板１の下面側に引っ込んでおり、この状態においてハンマーシャンクストッパ６４は高音弦側に設定保持され、各クッション部材６６をアクション機構７の隣接するハンマーシャンク２５間に位置させている。したがって、この状態で鍵盤４を押鍵操作し、ジャック１４がハンマーアッセンブリ１３を突上げ回動させても、ハンマーシャンク２５がクッション部材６６に当接してそれ以上の回動を阻止されることがなく、ハンマー３８により弦３を打撃することができる。また、この時、レギュレチングアッセンブリ１６は、図１に示す通常演奏位置に保設定保持されることにより、レギュレチングボタン４２とジャック小２７との距離を通常演奏時の距離ｄに設定している。したがって、上述した通り押鍵操作に連動してハンマーアッセンブリ１３がジャック１４によって突き上げられると、その打弦動作途中にジャック１４がハンマーローラ２６の下部から一時脱進し、「カクッ」というアフタータッチ感を得ることができる。
【００３２】
次に、図２において切替手段６２の摘み１０１を手前側に引いてワイヤ９８を引っ張ると、レバー９５および回動レバー９１が反時計方向に所定角度一体に回動し、操作部９４がステー６７を低音弦側に押圧移動させる。このため、ハンマーシャンクストッパ６４もステー６７と一体に移動する。このハンマーシャンクストッパ６４の移動量は上記した通りアクション割りの略半ピッチに設定されているので、各クッション部材６６が各アクション機構７のハンマーシャンク２５と対応一致し、もって通常演奏状態から消音演奏状態に切り替わる。
【００３３】
この場合、ハンマーシャンクストッパ６４の移動量設定については、説明を省略したが、ハンマーシャンクストッパ６４の両側にストッパを設けたり、摘み１０１の引出し量を規制したり、あるいはまたシャフト６８Ａ，６８Ｂを軸支する軸受部材７０をステー６７の幅より小さく設定してステー６７内に位置させ、これによりステー６７の移動を規制するなど種々の方法が可能である。
【００３４】
また、摘み１０１を手前に引いて距離変更手段６３のワイヤ１３３を引っ張ると、取付部材１３０が図１反時計方向にばね１３６に抗して回動し、ストッパ１４４に当接させると、レギュレチングアッセンブリ１６が下降してレギュレチングボタン４２とジャック小２７との距離を通常演奏時の距離ｄから消音演奏時の距離ｄ’に変更する。図４はこの状態を示す。
【００３５】
消音演奏状態において、鍵盤４を押鍵操作し、これに連動してアクション機構７が動作し、ジャック１４がハンマーアッセンブリ１３を上昇回動させると、ハンマー３８が弦３を打撃しようとする。そして、ジャック１４は打弦動作途中においてレギュレチングボタン４２に当接して上昇を阻止されることにより時計方向に回動してハンマーローラ２６の下部から脱進する。したがって、この時も通常演奏時と同様、「カクッ」というアフタータッチ感を得ることができる。
一方、ハンマーアッセンブリ１３は、ジャック１４の脱進後も上昇回動し続けようとするが、ハンマー３８が弦３を打撃する直前にハンマーシャンク２５がクッション部材６６に当接してそれ以上の回動を阻止されるため、ハンマー３８が弦３を打撃することなく跳ね返され、初期位置に回動復帰する。また、ジャック１４もウイペン８に連動して下降し、上端面がハンマーローラ２６の下部に再び入り込み、初期位置に復帰する。この結果、打弦音を発しない消音演奏を行うことができる。
【００３６】
このようにこの発明に係る鍵盤楽器の消音装置および鍵盤楽器にあっては、弦３とハンマーアッセンブリ１３との間に打弦阻止手段６１を鍵盤４の並設方向に移動自在に配設し、通常演奏時に打弦阻止手段６１のクッション部材６６をアクション機構７のハンマーシャンク２５間に位置させ、消音演奏時に打弦阻止手段６１を移動させてクッション部材６６をハンマーシャンク２５と対応一致させ、これによってハンマー３８が弦３を打撃する直前にハンマーシャンク２５の回動を阻止するように構成したので、通常演奏と消音演奏を楽しむことができる。
また、本発明はレギュレチングアッセンブリ１６全体を下降させてジャック小２７とレギュレチングボタン４２との距離をｄからｄ’に変更しているので、スペーサを介在させる場合に比べて通常演奏時用に調整されたジャック小２７とレギュレチングボタン４２との相対的関係が変化せず、したがって、消音演奏時のアフタータッチ感を通常演奏時と同様に保つことができる。
【００３７】
また、この発明はハンマーセンサ８０を備え、これによってアクション機構７の動きを検出し、その検出信号によって楽音制御回路を制御し、電子音源から電子音を発生させるようにしているので、グランドピアノのタッチ感を損なうことなく電子ピアノの演奏を楽しむことができ、またこの時の電子音をヘッドホンで聞いたり、スピーカから小さな音量で発音させると、日中、夜間を問わず近隣居住者への騒音公害となることがない。
【００３８】
図１０は切替手段の他の実施の形態を示す斜視図である。この実施の形態は、上記した回動レバー９１の代わりに平板状のステー１５０をシャンクレール１１の上方にこれと直交するように、かつ不図示のガイドによって左右方向にアクション割りの略半ピッチだけ移動し得るように配設し、このステー１５０の前端にボール９６を回動自在に保持するブロック１５１を固定し、後端をハンマーシャンクストッパ６４に連結し、通常演奏状態と消音演奏状態の切り替え時に摘み１０１によってステー１５０を左もしくは右方向にアクション割りの半ピッチだけ移動させるように構成したものである。
その他の構成は上記実施の形態と同様である。
このような構成においても上記実施の形態と同様に打弦阻止手段６１を通常演奏位置と消音演奏位置に移動させることができるものである。
【００３９】
なお、上記実施の形態はいずれも打弦阻止手段６１を移動させる切替手段６２として手動操作される摘み１０１とワイヤ９８を用いたが、この発明はこれに何等特定されるものではなく、ペダル操作によって打弦阻止手段６１を直接移動させたり、駆動モータによって回動レバー９１を回動させたり、ステー１５０をソレノイドで移動させるなど種々の変更が可能である。また、上記実施の形態はいずれも打弦阻止手段６１を水平方向に移動させるように構成したが、この発明はこれに限らず、上下方向に移動させるようにしてもよい。
さらに、上記した実施の形態は、摘み１０１で打弦阻止手段６１と距離変更手段６３を連動させるようにしたが、各手段を異なる摘みで動作せるようにして、消音演奏時に距離変更手段６３を動作させるか否かを演奏者が選択できるようにしてもよい。
【００４０】
また、上記実施の形態は距離変更手段６３の操作をワイヤ１３３を用いて行うようにしたが、この発明はこれに何等特定されるものではなく、上記打弦阻止手段６１と同様、ペダル操作によって回動軸１１０を直接回動させたり、駆動モータによって回動軸１１０を回動させたり、あるいはまた取付部材１３０をソレノイド等の駆動手段によって回動させるなど種々の変更が可能である。
【図面の簡単な説明】
【００４１】
【図１】この発明をグランドピアノに適用した場合の一実施の形態を示すアクション機構部の通常演奏時の側断面図である。
【図２】打弦阻止手段と切替手段の斜視図である。
【図３】打弦阻止手段の取付構造を示す側断面図である。
【図４】レギュレチングアッセンブリを消音演奏状態に切り換えた状態を示す側断面図である。
【図５】第１ブラケットの斜視図である。
【図６】回動軸、ブラケットおよび取付部材の位置関係を示すための図である。
【図７】第２ブラケットの斜視図である。
【図８】取付部材の斜視図である。
【図９】第３ブラケットの斜視図である。
【図１０】切替手段の他の実施の形態を示す斜視図である。
【符号の説明】
【００４２】
１…棚板、３…弦、４…鍵盤、６…サポートレール、７…アクション機構、８…ダンパー機構、１２…ウイペン、１３…ハンマーアッセンブリ、１４…ジャック、１６…レギュレチングアッセンブリ、２５…ハンマーシャンク、２７…ジャック小、３８…ハンマー、４０…レギュレチングレール、４２…レギュレチングボタン、６０…消音装置、６１…打弦阻止手段、６２…切替手段、６３…距離変更手段、６４…ハンマーシャンクストッパ、６６…クッション部材、１１０…回動軸、１３３…ワイヤ。
【図１】
2005134926.tif 000003
【図２】
2005134926.tif 000004
【図３】
2005134926.tif 000005
【図４】
2005134926.tif 000006
【図５】
2005134926.tif 000007
【図６】
2005134926.tif 000008
【図７】
2005134926.tif 000009
【図８】
2005134926.tif 000010
【図９】
2005134926.tif 000011
【図１０】
2005134926.tif 000012